(57)【要約】【課題】データ測定器間で簡易に統一した時間を設定でき、特定のデータ測定器の時計機能が故障した場合は直ちに当該データ測定器を統一した時間に設定でき、あるデータ測定器を複数のＰＣで管理している場合に各ＰＣ間の時間のズレによる調整を行う必要がなく、時差のある状況でデータ測定器を使用する場合であっても、時差による時間のズレを調整する必要がない測定時間管理システム等を提供する。【解決手段】事業者側サーバ４４へ測定情報が送信されたタイミングでＰＣ１１は事業者側サーバ４４の時刻情報を取得して当該時刻情報に同期し、リレーキー１２はＰＣ１１から当該時刻情報を取得してこれに同期する。リレーキー１２はデータ測定器１４等から送信された測定情報に上記時刻情報に基づきタイム・スタンプを記録し、タイム・スタンプが記録された測定情報をＰＣ１１へ送信し、ＰＣ１１は当該測定情報を事業者側サーバ４４へ転送する。【選択図】  図１
2007259362.tif 000002
【特許請求の範囲】
【請求項１】
ネットワークを介して接続されたサーバ及び情報端末装置と、該情報端末装置と所定のインタフェースにより脱着可能に接続されたデータ送受信装置と、該データ送受信装置と所定のワイヤレス通信方式により接続されたデータ測定器とを備えた測定時間管理システムであって、
前記サーバは、
該サーバ側の時刻情報を該情報端末装置へ送信する時刻情報送信手段を備え、
前記情報端末装置は、
前記時刻情報送信手段により送信された時刻情報を前記データ送受信装置へ送信する情報端末装置側時刻情報送信手段と、
前記データ送受信装置から送信された測定情報を前記サーバへ転送する測定情報転送手段とを備え、
前記データ送受信装置は、
前記情報端末装置側時刻情報送信手段により送信された時刻情報に該データ送受信装置の時刻を同期させるデータ送受信装置側同期手段と、
所定の情報を前記データ測定器側へ送信する情報送信手段と、
前記データ測定器から送信された測定情報に、前記データ送受信装置側同期手段により同期がとれた該データ送受信装置側の時刻情報に基づきタイム・スタンプを記録するタイム・スタンプ記録手段と、
前記タイム・スタンプ記録手段によりタイム・スタンプが記録された測定情報を前記情報端末装置へ送信するタイム・スタンプ記録済測定情報送信手段とを備えたことを特徴とする測定時間管理システム。
【請求項２】
請求項１記載の測定時間管理システムにおいて、前記データ測定器は、前記情報送信手段により送信された所定の情報に基づき測定データに所定の演算を行って得た測定情報を前記データ送受信装置へ送信する測定情報送信手段を備えたことを特徴とする測定時間管理システム。
【請求項３】
請求項１又は２記載の測定時間管理システムにおいて、前記データ測定器が測定終了後所定の時間を経過した後に測定情報を送信する場合、該データ測定器から前記データ送受信装置へ送信される測定情報は、測定終了から測定情報の送信までの経過時間を示す経過時間情報を含み、
前記情報端末装置が、前記タイム・スタンプ記録済測定情報送信手段により送信された測定情報に記録されたタイム・スタンプと該測定情報に含まれる経過時間情報とに基づき測定終了時刻を算出する算出手段、又は、
前記サーバが、前記測定情報転送手段により転送された測定情報に記録されたタイム・スタンプと該測定情報に含まれる経過時間情報とに基づき測定終了時刻を算出する算出手段のいずれかをさらに備えたことを特徴とする測定時間管理システム。
【請求項４】
請求項３記載の測定時間管理システムにおいて、前記情報送信手段により送信された所定の情報は前記データ送受信装置側同期手段により同期がとれた前記データ送受信装置側の時刻情報を含み、前記データ測定器が該時刻情報との同期を行なう場合、該データ測定器は、該時刻情報に該データ測定器の時刻を同期させるデータ測定器側同期手段をさらに備えたことを特徴とする測定時間管理システム。
【請求項５】
請求項１乃至４のいずれかに記載の測定時間管理システムにおいて、前記時刻情報は所定の時間を基準とする相対時間であることを特徴とする測定時間管理システム。
【請求項６】
ネットワークを介してサーバに接続された情報端末装置と所定のインタフェースにより脱着可能に接続されたデータ送受信装置であって、
前記情報端末装置へ送信された該サーバ側の時刻情報に該データ送受信装置の時刻を同期させるデータ送受信装置側同期手段と、
前記データ送受信装置側同期手段により同期がとれた該データ送受信装置側の時刻情報を含む所定の情報を前記データ測定器側へ送信する情報送信手段と、
前記データ測定器から送信された測定情報に、前記データ送受信装置側同期手段により同期がとれた該データ送受信装置側の時刻情報に基づきタイム・スタンプを記録するタイム・スタンプ記録手段と、
前記タイム・スタンプ記録手段によりタイム・スタンプが記録された測定情報を前記情報端末装置へ送信するタイム・スタンプ記録済測定情報送信手段とを備えたことを特徴とするデータ送受信装置。
【請求項７】
請求項６記載のデータ送受信装置において、前記タイム・スタンプ記録手段における前記データ測定器から送信された測定情報は、前記データ測定器により、前記情報送信手段によって送信された所定の情報に基づき測定データに所定の演算が行なわれて得られた測定情報であることを特徴とするデータ送受信装置。
【請求項８】
請求項６又は７記載のデータ送受信装置において、前記データ測定器が測定終了後所定の時間を経過した後に測定情報を送信する場合、該データ測定器から前記データ送受信装置へ送信される測定情報は、測定終了から測定情報の送信までの経過時間を示す経過時間情報を含み、
前記情報端末装置により、前記タイム・スタンプ記録済測定情報送信手段により送信された測定情報に記録されたタイム・スタンプと該測定情報に含まれる経過時間情報とに基づき測定終了時刻が算出され、又は、
前記サーバにより、前記情報端末装置から送信された測定情報に記録されたタイム・スタンプと該測定情報に含まれる経過時間情報とに基づき測定終了時刻が算出されることを特徴とするデータ送受信装置。
【請求項９】
請求項８記載のデータ送受信装置において、前記情報送信手段により送信された所定の情報は前記データ送受信装置側同期手段により同期がとれた前記データ送受信装置側の時刻情報を含み、前記データ測定器が該時刻情報との同期を行なう場合、該データ測定器により、該時刻情報に該データ測定器の時刻が同期されることを特徴とするデータ送受信装置。
【請求項１０】
請求項６乃至９のいずれかに記載のデータ送受信装置において、前記時刻情報は所定の時間を基準とする相対時間であることを特徴とするデータ送受信装置。
【請求項１１】
ネットワークを介して接続されたサーバ及び情報端末装置と、該情報端末装置と所定のインタフェースにより脱着可能に接続されたデータ送受信装置と、該データ送受信装置と所定のワイヤレス通信方式により接続されたデータ測定器とを用いる測定時間管理方法であって、
前記サーバが、
該サーバ側の時刻情報を該情報端末装置へ送信する時刻情報送信ステップと、
前記情報端末装置が、
前記時刻情報送信ステップで送信された時刻情報を前記データ送受信装置へ送信する情報端末装置側時刻情報送信ステップと、
前記データ送受信装置が、
前記情報端末装置側時刻情報送信ステップで送信された時刻情報に該データ送受信装置の時刻を同期させるデータ送受信装置側同期ステップと、
所定の情報を前記データ測定器側へ送信する情報送信ステップと、
前記データ測定器が、
測定情報を前記データ送受信装置へ送信する測定情報送信ステップと、
前記データ送受信装置が、
前記測定情報送信ステップで送信された測定情報に、前記データ送受信装置側同期ステップで同期がとれた該データ送受信装置側の時刻情報に基づきタイム・スタンプを記録するタイム・スタンプ記録ステップと、
前記タイム・スタンプ記録ステップでタイム・スタンプが記録された測定情報を前記情報端末装置へ送信するタイム・スタンプ記録済測定情報送信ステップと、
前記情報端末装置が、
前記タイム・スタンプ記録済測定情報送信ステップで送信された測定情報を前記サーバへ転送する測定情報転送ステップとを備えたことを特徴とする測定時間管理方法。
【請求項１２】
請求項１１記載の測定時間管理方法において、前記測定情報送信ステップは、前記情報送信ステップで送信された所定の情報に基づき測定データに所定の演算を行った測定情報を前記データ送受信装置へ送信することを特徴とする測定時間管理方法。
【請求項１３】
請求項１１又は１２記載の測定時間管理方法において、前記データ測定器が測定終了後所定の時間を経過した後に測定情報を送信する場合、前記測定情報送信ステップで送信される測定情報は、測定終了から測定情報の送信までの経過時間を示す経過時間情報を含み、
前記情報端末装置が、前記タイム・スタンプ記録済測定情報送信ステップで送信された測定情報に記録されたタイム・スタンプと該測定情報に含まれる経過時間情報とに基づき測定終了時刻を算出する算出ステップ、又は、
前記サーバが、前記測定情報転送ステップで転送された測定情報に記録されたタイム・スタンプと該測定情報に含まれる経過時間情報とに基づき測定終了時刻を算出する算出ステップのいずれかをさらに備えたことを特徴とする測定時間管理方法。
【請求項１４】
請求項１３記載の測定時間管理方法において、前記情報送信ステップで送信された所定の情報は前記データ送受信装置側同期ステップで同期がとれた前記データ送受信装置側の時刻情報を含み、前記データ測定器が該時刻情報との同期を行なう場合、該データ測定器は、前記測定情報送信ステップに先立ち、該時刻情報に該データ測定器の時刻を同期させるデータ測定器側同期ステップをさらに備えたことを特徴とする測定時間管理方法。
【請求項１５】
請求項１１乃至１４のいずれかに記載の測定時間管理方法において、前記時刻情報は所定の時間を基準とする相対時間であることを特徴とする測定時間管理方法。
【発明の詳細な説明】
【技術分野】
【０００１】
本発明は、ネットワークを介して接続されたサーバおよび情報端末装置と、当該情報端末装置と所定のインタフェースにより脱着可能に接続されたデータ送受信装置と、当該データ送受信装置と所定のワイヤレス通信方式により接続されたデータ測定器とを備えた測定時間管理システム等に関する。
【背景技術】
【０００２】
近年、体組成計等をパーソナル・コンピュータ（ＰＣ）に接続して健康管理を行うシステムの開発が進められている。このようなシステムでは測定データに測定時刻（時間）を付して測定時間の管理を行っている。従来のシステムでは、測定時刻の取得のためにデータ測定器毎に時計機能を備えさせていた。例えば、電子血圧計に時計機能を設けて測定日時を記録させたり（非特許文献１参照）、歩数計に時計機能を設けて測定日時を記録させたりしている（非特許文献２参照）。
【０００３】
【非特許文献１】“電子血圧計”、［online］、シチズン時計株式会社、シチズンＣＢＭ株式会社［２００３年１月３０日掲載］、インターネット、  <URL:http://www.citizen.co.jp/release/03/030130ud.htm>
【非特許文献２】“歩数計”、［online］、株式会社クレセル、［平成１８年３月２０日検索］、インターネット、  <URL:http://www.crecer.jp/seihin/HOSUU.htm>
【発明の開示】
【発明が解決しようとする課題】
【０００４】
上述のように、従来の健康管理システムでは測定時間の管理に用いる測定時刻の取得のために、データ測定器毎に時計機能を備えさせていた。従って、データ測定器間で統一した時間を設定するためには、極めて手間を要するという問題があった。特に、特定のデータ測定器の時計機能が故障した場合、改めて統一した時間に設定するためには極めて手間を要していたため、当該データ測定器は長時間に亘り使用できなくなるという問題があった。あるデータ測定器を複数のＰＣで管理している場合、各ＰＣ間の時間のズレによる調整を行う必要があるという問題があった。さらに、時差のある状況でデータ測定器を使用する場合、時差による時間のズレを調整する必要があるという問題があった。
【０００５】
そこで、本発明の目的は、上記問題を解決するためになされたものであり、データ測定器間で簡易に統一した時間を設定することができ、特定のデータ測定器の時計機能が故障した場合は直ちに当該データ測定器を統一した時間に設定することができ、あるデータ測定器を複数のＰＣで管理している場合に各ＰＣ間の時間のズレによる調整を行う必要がなく、さらに、時差のある状況でデータ測定器を使用する場合であっても、時差による時間のズレを調整する必要がない測定時間管理システム等を提供することにある。
【課題を解決するための手段】
【０００６】
この発明の測定時間管理システムは、ネットワークを介して接続されたサーバ及び情報端末装置と、該情報端末装置と所定のインタフェースにより脱着可能に接続されたデータ送受信装置と、該データ送受信装置と所定のワイヤレス通信方式により接続されたデータ測定器とを備えた測定時間管理システムであって、前記サーバは、該サーバ側の時刻情報を該情報端末装置へ送信する時刻情報送信手段を備え、前記情報端末装置は、前記時刻情報送信手段により送信された時刻情報を前記データ送受信装置へ送信する情報端末装置側時刻情報送信手段と、前記データ送受信装置から送信された測定情報を前記サーバへ転送する測定情報転送手段とを備え、前記データ送受信装置は、前記情報端末装置側時刻情報送信手段により送信された時刻情報に該データ送受信装置の時刻を同期させるデータ送受信装置側同期手段と、所定の情報を前記データ測定器側へ送信する情報送信手段と、前記データ測定器から送信された測定情報に、前記データ送受信装置側同期手段により同期がとれた該データ送受信装置側の時刻情報に基づきタイム・スタンプを記録するタイム・スタンプ記録手段と、前記タイム・スタンプ記録手段によりタイム・スタンプが記録された測定情報を前記情報端末装置へ送信するタイム・スタンプ記録済測定情報送信手段とを備えたことを特徴とする。
【０００７】
ここで、この発明の測定時間管理システムにおいて、前記データ測定器は、前記情報送信手段により送信された所定の情報に基づき測定データに所定の演算を行って得た測定情報を前記データ送受信装置へ送信する測定情報送信手段を備えることができる。
【０００８】
ここで、この発明の測定時間管理システムにおいて、前記データ測定器が測定終了後所定の時間を経過した後に測定情報を送信する場合、該データ測定器から前記データ送受信装置へ送信される測定情報は、測定終了から測定情報の送信までの経過時間を示す経過時間情報を含み、前記情報端末装置が、前記タイム・スタンプ記録済測定情報送信手段により送信された測定情報に記録されたタイム・スタンプと該測定情報に含まれる経過時間情報とに基づき測定終了時刻を算出する算出手段、又は、前記サーバが、前記測定情報転送手段により転送された測定情報に記録されたタイム・スタンプと該測定情報に含まれる経過時間情報とに基づき測定終了時刻を算出する算出手段のいずれかをさらに備えることができる。
【０００９】
ここで、この発明の測定時間管理システムにおいて、前記情報送信手段により送信された所定の情報は前記データ送受信装置側同期手段により同期がとれた前記データ送受信装置側の時刻情報を含み、前記データ測定器が該時刻情報との同期を行なう場合、該データ測定器は、該時刻情報に該データ測定器の時刻を同期させるデータ測定器側同期手段をさらに備えることができる。
【００１０】
ここで、この発明の測定時間管理システムにおいて、前記時刻情報は所定の時間を基準とする相対時間とすることができる。
【００１１】
この発明のデータ送受信装置は、ネットワークを介してサーバに接続された情報端末装置と所定のインタフェースにより脱着可能に接続されたデータ送受信装置であって、前記情報端末装置へ送信された該サーバ側の時刻情報に該データ送受信装置の時刻を同期させるデータ送受信装置側同期手段と、前記データ送受信装置側同期手段により同期がとれた該データ送受信装置側の時刻情報を含む所定の情報を前記データ測定器側へ送信する情報送信手段と、前記データ測定器から送信された測定情報に、前記データ送受信装置側同期手段により同期がとれた該データ送受信装置側の時刻情報に基づきタイム・スタンプを記録するタイム・スタンプ記録手段と、前記タイム・スタンプ記録手段によりタイム・スタンプが記録された測定情報を前記情報端末装置へ送信するタイム・スタンプ記録済測定情報送信手段とを備えたことを特徴とする。
【００１２】
ここで、この発明のデータ送受信装置において、前記タイム・スタンプ記録手段における前記データ測定器から送信された測定情報は、前記データ測定器により、前記情報送信手段によって送信された所定の情報に基づき測定データに所定の演算が行なわれて得られた測定情報であるものとすることができる。
【００１３】
ここで、この発明のデータ送受信装置において、前記データ測定器が測定終了後所定の時間を経過した後に測定情報を送信する場合、該データ測定器から前記データ送受信装置へ送信される測定情報は、測定終了から測定情報の送信までの経過時間を示す経過時間情報を含み、前記情報端末装置により、前記タイム・スタンプ記録済測定情報送信手段により送信された測定情報に記録されたタイム・スタンプと該測定情報に含まれる経過時間情報とに基づき測定終了時刻が算出され、又は、前記サーバにより、前記情報端末装置から送信された測定情報に記録されたタイム・スタンプと該測定情報に含まれる経過時間情報とに基づき測定終了時刻が算出されるものとすることができる。
【００１４】
ここで、この発明のデータ送受信装置において、前記情報送信手段により送信された所定の情報は前記データ送受信装置側同期手段により同期がとれた前記データ送受信装置側の時刻情報を含み、前記データ測定器が該時刻情報との同期を行なう場合、該データ測定器により、該時刻情報に該データ測定器の時刻が同期されるものとすることができる。
【００１５】
ここで、この発明のデータ送受信装置において、前記時刻情報は所定の時間を基準とする相対時間であるものとすることができる。
【００１６】
この発明の測定時間管理方法は、ネットワークを介して接続されたサーバ及び情報端末装置と、該情報端末装置と所定のインタフェースにより脱着可能に接続されたデータ送受信装置と、該データ送受信装置と所定のワイヤレス通信方式により接続されたデータ測定器とを用いる測定時間管理方法であって、前記サーバが、該サーバ側の時刻情報を該情報端末装置へ送信する時刻情報送信ステップと、前記情報端末装置が、前記時刻情報送信ステップで送信された時刻情報を前記データ送受信装置へ送信する情報端末装置側時刻情報送信ステップと、前記データ送受信装置が、前記情報端末装置側時刻情報送信ステップで送信された時刻情報に該データ送受信装置の時刻を同期させるデータ送受信装置側同期ステップと、所定の情報を前記データ測定器側へ送信する情報送信ステップと、前記データ測定器が、測定情報を前記データ送受信装置へ送信する測定情報送信ステップと、前記データ送受信装置が、前記測定情報送信ステップで送信された測定情報に、前記データ送受信装置側同期ステップで同期がとれた該データ送受信装置側の時刻情報に基づきタイム・スタンプを記録するタイム・スタンプ記録ステップと、前記タイム・スタンプ記録ステップでタイム・スタンプが記録された測定情報を前記情報端末装置へ送信するタイム・スタンプ記録済測定情報送信ステップと、前記情報端末装置が、前記タイム・スタンプ記録済測定情報送信ステップで送信された測定情報を前記サーバへ転送する測定情報転送ステップとを備えたことを特徴とする。
【００１７】
ここで、この発明の測定時間管理方法において、前記測定情報送信ステップは、前記情報送信ステップで送信された所定の情報に基づき測定データに所定の演算を行った測定情報を前記データ送受信装置へ送信することができる。
【００１８】
ここで、この発明の測定時間管理方法において、前記データ測定器が測定終了後所定の時間を経過した後に測定情報を送信する場合、前記測定情報送信ステップで送信される測定情報は、測定終了から測定情報の送信までの経過時間を示す経過時間情報を含み、前記情報端末装置が、前記タイム・スタンプ記録済測定情報送信ステップで送信された測定情報に記録されたタイム・スタンプと該測定情報に含まれる経過時間情報とに基づき測定終了時刻を算出する算出ステップ、又は、前記サーバが、前記測定情報転送ステップで転送された測定情報に記録されたタイム・スタンプと該測定情報に含まれる経過時間情報とに基づき測定終了時刻を算出する算出ステップのいずれかをさらに備えることができる。
【００１９】
ここで、この発明の測定時間管理方法において、前記情報送信ステップで送信された所定の情報は前記データ送受信装置側同期ステップで同期がとれた前記データ送受信装置側の時刻情報を含み、前記データ測定器が該時刻情報との同期を行なう場合、該データ測定器は、前記測定情報送信ステップに先立ち、該時刻情報に該データ測定器の時刻を同期させるデータ測定器側同期ステップをさらに備えることができる。
【００２０】
ここで、この発明の測定時間管理方法において、前記時刻情報は所定の時間を基準とする相対時間であるものとすることができる。
【発明の効果】
【００２１】
本発明の測定時間管理システム等によれば、事業者側サーバへ測定情報が送信されたタイミングでＰＣは事業者側サーバの時刻情報を取得して当該時刻情報に同期することができる。リレーキーはＰＣから当該時刻情報を取得してこれに同期することができる。リレーキーはデータ測定器から送信された測定情報に、上述のように同期がとれた時刻情報に基づきタイム・スタンプを記録し、タイム・スタンプが記録された測定情報をＰＣへ送信する。ＰＣは、当該測定情報を事業者側サーバへ転送する。この結果、データ測定器間で統一した時間、すなわち事業者側サーバの時刻情報を簡易に設定することができるため、常に高い精度の時刻情報を得ることができる。あるデータ測定器を複数のＰＣで管理している場合であっても、各ＰＣまたはリレーキーは事業者側サーバの時刻情報により同期が取られているため、ＰＣ間の時間のズレによる調整を行う必要はない。さらに、外国でデータ測定器を用いる場合のように時差のある状況でデータ測定器を使用する場合であっても、ＰＣまたはリレーキーは事業者側サーバの時刻情報により同期が取られているため、時差による時間のズレを調整する必要をなくすことができるという効果がある。
【発明を実施するための最良の形態】
【００２２】
以下、各実施例について図面を参照して詳細に説明する。
【実施例１】
【００２３】
図１は、本発明の実施例１における測定時間管理システム１を示す。図１において、符号５はインターネット等のネットワーク、１０は健康管理用のデータを測定する被測定者（ユーザ。不図示）のホーム・システム、１１はネットワーク５とルータ１３を介して接続したＰＣ（情報端末装置）、４０は上記ユーザの健康管理用のデータを管理する健康管理事業者側システム、４４はネットワーク５とルータ４２を介して接続した健康管理事業者側システム４０のサーバ（サーバ。以下、「事業者側サーバ」と略す。）である。図１に示されるように、ＰＣ１１と事業者側サーバ４４とはネットワーク５を介して接続されている。
【００２４】
図１に示されるホーム・システム１０内において、符号１２はＰＣ１１と所定のインタフェースにより脱着可能に接続されたリレーキー（データ送受信装置）、１４、１６、１７および１８はリレーキー１２と所定のワイヤレス通信方式(後述)により接続されたデータ測定器「データ測定器１４等という。」）である。所定のインタフェースとしては、例えばＵＳＢ（Universal Serial Bus）を用いることができる。他の任意のインタフェースであってもよいことは勿論である。
【００２５】
図１において、符号５０は事業者側サーバ４４の機能を示す機能ブロックである。図１に示されるように、事業者側サーバ４４は、リレーキー１２の装着をＰＣ１１が検出すると、ＰＣ１１を介して送信された装着情報および／またはＰＣ１１から送信された時刻情報の要求を受信した後、事業者側サーバ４４側の時刻情報をＰＣ１１へ送信する時刻情報送信部（時刻情報送信手段）５２を備えている。時刻情報は絶対時間を用いてもよいが、所定の時間を基準とする相対時間とすることが好適である。例えば、日付の場合、２０００年１月１日を基準として０とし、２００６年１月２５日を２２１６とすることができる。時間の場合、０時０分０秒を基準として０とし、１１時４３分１５秒を４２１９５とすることができる。日付、時刻等を表示しないデータ測定器の場合、相対時間とする方が内部処理を簡単にすることができる。
【００２６】
次に、ＰＣ１１の機能について説明する。図１において、符号３０はＰＣ１１の機能を示す機能ブロックである。図１に示されるように、ＰＣ１１は、時刻情報送信部５２により送信された時刻情報をリレーキー１２へ送信する情報端末装置側時刻情報送信部（情報端末装置側時刻情報送信手段）３４と、リレーキー１２から送信された測定情報を事業者側サーバ４４へ転送する測定情報転送部（測定情報転送手段）３６とを備えている。ＰＣ１１は、時刻情報送信部５２により送信された時刻情報にＰＣ１１の時刻を同期させる情報端末装置側同期部（情報端末装置側同期手段）３２を有していてもよい。この場合、情報端末装置側時刻情報送信部３４は情報端末装置側同期部３２により同期がとれたＰＣ１１側の時刻情報をリレーキー１２へ送信することもできる。以上のＰＣ１１、事業者側サーバ４４の各機能は主としてソフトウェアにより実現することが可能である。
【００２７】
図１において、符号２０はリレーキー１２の機能を示す機能ブロックである。図１に示されるように、リレーキー１２は、内部に時計機能を有し、ＰＣ１１から外されている時でも計時しているが、情報端末装置側時刻情報送信部３４により送信された時刻情報にリレーキー１２の時刻を同期させるデータ送受信装置側同期部（データ送受信装置側同期手段）２２と、所定の情報をデータ測定器１４等側へ送信する情報送信部（情報送信手段）２４と、データ測定器１４等から送信された測定情報に、データ送受信装置側同期部２２により同期がとれたリレーキー１２側の時刻情報に基づきタイム・スタンプを記録するタイム・スタンプ記録部（タイム・スタンプ記録手段）２６と、タイム・スタンプ記録部２６によりタイム・スタンプが記録された測定情報をＰＣ１１へ送信するタイム・スタンプ記録済測定情報送信部（タイム・スタンプ記録済測定情報送信手段）２８とを備えている。所定の情報および測定情報等はリレーキー１２内部のメモリ（不図示）に記録されている。以上の機能はハードウェア、ソフトウェアを適宜組み合わせて実現することが可能である。図１に示されるように、データ測定器１４等とＰＣ１１とはリレーキー１２を介して接続されており、データ測定器１４等で測定された測定データはタイム・スタンプ記録部２６によりタイム・スタンプが記録された後、リレーキー１２を介してＰＣ１１へ転送される。データ測定器１４等とリレーキー１２との間は赤外線または特定小電力無線等によるワイヤレス通信方式（所定のワイヤレス通信方式）で通信を行うことが好適である。特定小電力無線とは、免許を必要としない無線であり、アンテナ電力が１０ｍＷ以下の近距離用の無線（特定小電力無線局テレメータ用、テレコントロール用及びデータ伝送用無線設備標準規格ＡＲＩＢＳＴＤ−Ｔ６７）である。リレーキー１２とＰＣ１１との間は上述のようにＵＳＢによるインタフェースで接続することが好適である。
【００２８】
図２は、リレーキー１２の構成を示す。図２において、符号２３は情報送信部２４がデータ測定器１４等側へ所定の情報を送信するために用いる赤外線送受信器（点線で囲んで示す。）である。所定の情報としてはデータ測定器１４等を起動させるための起動指令、データ測定器１４等（例えば、体組成計）が必要とする被測定者の身長、年齢等の個人設定情報（ユーザ情報）がある。後述するように、所定の情報には時刻情報を含めることもができる。所定の情報は通信スイッチ２１を押下することにより送信される。上記所定の情報がデータ測定器１４等に送信されると、データ測定器１４等は所定の情報に基づいて、自動的に起動され、体重等のデータを測定し、測定した測定データをリレーキー１２側へ送信する。当該測定データは赤外線送受信器２３により受信される。図２において、符号２５はＵＳＢ端子であり、スライドキー２７を図２に示される矢印方向にスライドさせることにより、ＵＳＢ端子２５をリレーキー１２の外部に出しまたはリレーキー１２の内部に格納することができる。従来のＵＳＢ端子を用いた機器ではＵＳＢ端子自体は常時機器外部に出したままであるため、ＵＳＢ端子の保護用にキャップを被せる必要があった。当該キャップは紛失しやすいという欠点があったが、本発明のリレーキー１２ではスライドキー２７を設けることによりキャップを不要とすることができる。
【００２９】
図３は、リレーキー１２とＰＣ１１との接続状態を示す。図３に示されるように、ＰＣ１１のＵＳＢポート３１にリレーキー１２のＵＳＢ端子２５（図３では接続してあるため表示されていない。）を接続すればよい。事業者側サーバ４４はデータベース（不図示）に記録された測定情報を、図３に示されるようにＰＣ１１のディスプレイ３３にグラフ、表等の種々の表示形式３５で閲覧させることができる。
【００３０】
図４は、ホーム・システム１０内の詳細な構成を示す。図４で図１および図２と同じ符号を付した箇所は同じ要素を示すため説明は省略する。図４に示されるように、データ測定器１４は体組成計、１６は血圧計、１７は尿糖計、１８は歩数計である。図４では図面の都合上、リレーキー１２は他のデータ測定器１４等とほぼ同じサイズで示されているが、実際はライター（例えば日本における１００円ライター）程度のコンパクトなサイズである。データ測定器１４等はユーザの生体に関連するデータの測定器であることが好適であり、上述のデータ測定器１４等以外の体温計等であってもよい。図４では４台のデータ測定器１４等が示されているが、これは図面の都合上のものであり、台数が４台に限定されるわけではなく、所望の台数のデータ測定器を設置することができる。データ測定器１４、１６、１７および１８とリレーキー１２との間の通信方式は、各々赤外線ＩＮＦＲ１、ＩＮＦＲ２、ＩＮＦＲ３、ＩＮＦＲ４による送受信方式とすることができる。赤外線送信のフォーマットとしては、一般的な家電製品協会フォーマット等またはオリジナルなフォーマット等を用いればよい。例えば、歩数計１８をリレーキー１２に載せる等の簡単な操作により測定データを自動的にリレーキー１２へ送信することができる。
【００３１】
データ測定器１４等には、測定終了後、測定データ（測定情報）を直ちにリレーキー１２側へ送信するタイプのものと、測定終了後所定の時間を経過した後に測定情報をリレーキー１２側へ送信するタイプのものとがある。前者の例としては体組成計１４および血圧計１６等があり、いずれも情報送信部２４から送信された所定の情報を受信する受信機能を有している。後者の例としては尿糖計１７および歩数計１８等があり、尿糖計１７は情報送信部２４から送信された所定の情報を受信する受信機能を有さず、一方、歩数計１８は上記受信機能を有している。本実施例１では、測定終了後、測定情報を直ちにリレーキー１２側へ送信するタイプのデータ測定器１４等、具体的には、体組成計１４および血圧計１６等のタイプのデータ測定器１４等について説明する。実施例１のデータ測定器１４等は情報送信部２４により送信された所定の情報に基づき測定データに所定の演算を行って得た測定情報をリレーキー１２へ送信する測定情報送信部（測定情報送信手段。不図示）を備えている。尿糖計１７等のタイプのデータ測定器１４等については実施例２で説明し、歩数計１８等のタイプのデータ測定器１４等については実施例３で説明する。
【００３２】
図５は、本発明の実施例１における測定時間管理方法の流れをフローチャートで示す。図５（Ａ）は、データ測定器１４等の測定データがない状態で初めてリレーキー１２をＰＣ１１に接続したときの時間の同期処理を示す。左のフローチャートはリレーキー１２側の処理の流れを示し、中央のフローチャートはＰＣ１１側の処理の流れを示し、右のフローチャートは事業者側サーバ４４側の処理を示し、相互の通信は各フローチャート間を結ぶ線により示す。図面の都合上、処理ブロック中の詳細な記載は省略する。まず、リレーキー１２をＰＣ１１のＵＳＢ装着口に装着する（ステップＳ１）。すると、ＰＣ１１はリレーキー１２の装着を確認し、リレーキー１２からの種々の状態情報を取得する（ステップＳ２）。この処理は、図６のフローチャートで示すように、ステップＳ３０でリレーキー１２の状態を取得する。状態を示す状態情報としては、例えばリンクキー１２のバッテリーの状態、メモリ使用量等がある。バッテリーの電圧が低い等のようにリレーキー１２の状態に問題があると判断された場合（ステップＳ３４)、その旨を示すエラーをＰＣ１１のディスプレイ３３に表示して（ステップＳ３６)、終了する。特に問題がないと判断された場合（ステップＳ３４)は、何もしないで終了する。その後、図５（Ａ）のステップＳ３でＰＣ１１から事業者側サーバ４４に対して時刻情報の要求を行う（ステップＳ３）。この要求に対して、事業者側サーバ４４は、時刻情報送信部５２から時刻情報をＰＣ１１に送信する（時刻情報送信ステップ。ステップＳ４）。ＰＣ１１は受け取った時刻情報でＰＣ１１の時刻を同期させる（ステップＳ５）。この時刻情報には年、月、日、時刻が含まれる。さらに、ＰＣ１１は情報端末装置側時刻情報送信部３４からリレーキー１２に対して時刻情報を送信する（情報端末装置側時刻情報送信ステップ。ステップＳ６）。リレーキー１２は、この時刻情報に基づいてリレーキー１２の時刻を同期させる（データ送受信装置側同期ステップ。ステップＳ７）。
【００３３】
次に、リレーキー１２をＰＣ１１から外し、データ測定器である体組成計１４等との間の測定データの処理について、図５（Ｂ）を用いて説明する。図５（Ｂ）に示されるように、最初に、リレーキー１２の通信スイッチ２１を押すと、リレーキー１２から体組成計１４等に対して所定の情報を送信する（情報送信ステップ。ステップＳ１０)。この所定の情報は、ユーザの身長、年齢、性別等の情報のみで十分であり、リレーキー１２側の時刻情報を含めなくてもよい。所定の情報にこの時刻情報を含めて送信し、体組成計１４等側でこの時刻情報を利用しなくてもよいし、単に体組成計１４側の表示部に時刻表示してもよいことは勿論である。
【００３４】
この所定の情報が体組成計１４等側で受信されると、常時待機状態に設定してある体組成計１４等側の電源を起動して、データ測定を開始する（ステップＳ１１)。そしてデータ測定が終了すると、体組成計１４等側から測定情報をリレーキー１２へ送信する（測定情報送信ステップ。ステップＳ１２)。
【００３５】
リレーキー１２は、測定情報送信ステップ（ステップＳ１２）で送信された測定情報に、リレーキー１２内部の時刻情報に基づいてタイム・スタンプを記録して、内部のメモリに保管する（タイム・スタンプ記録ステップ。ステップＳ１３)。この保管が完了すると、リレーキー１２から体組成計１４等側に受信確認のＲＩＮＦ信号が送信され（ステップＳ１４)、体組成１４等側は再びリレーキー１２からの所定の情報を待つ待機状態となる。
【００３６】
次に、リレーキー１２をＰＣ１１に装着した時のリレーキー１２、ＰＣ１１、事業者側サーバ４４の測定データの処理について、図５（Ｃ）を用いて説明する。リレーキー１２をＰＣ１１に装着すると、上述の図５（Ａ）についての説明（ステップＳ１乃至Ｓ７）で述べたように、リレーキー１２、ＰＣ１１の時刻の同期処理がなされる（ステップＳ１５乃至ステップＳ２１)。この同期処理が完了すると、リレーキー１２はタイム・スタンプが記録された測定情報をＰＣ１１へ送信する（タイム・スタンプ記録済測定情報送信ステップ。ステップＳ２２)。
【００３７】
ＰＣ１１は、タイム・スタンプ記録済測定情報送信ステップ（ステップＳ２２)で送信された測定情報を事業者側サーバ４４へ転送する（測定情報転送ステップ。ステップＳ２３）。事業者側サーバ４４では、転送された測定情報を内部に記録するとともに種々の処理を行い、その結果情報をＰＣ１１へ送信する（ステップＳ２４)。
【００３８】
ＰＣ１１は、送信された結果情報を種々の表示形式でディスプレイ３３に表示する（ステップＳ２５)。この表示とともにＰＣ１１は、リレーキー１２に対してステップＳ２２で送信した測定情報を消去する消去信号を送信する（ステップＳ２６)。図５（Ａ）から図５（Ｃ）の処理で最初の処理が完了するが、次の測定からは、図５（Ｂ）および図５（Ｃ）の処理のみの繰り返しで処理される。
【００３９】
図５（Ａ）乃至図５（Ｃ）に示されるフローチャートでは時刻情報に関連した処理の流れを示した。図７（Ａ）および７（Ｂ）は、時刻情報に関連した処理以外の他の処理を含めたリレーキー１２の処理、体組成計１４等のタイプのデータ測定器の処理および両者の間の通信をフローチャートで示す。図７（Ａ）はリレーキー１２側の処理を示し、図７（Ｂ）はデータ測定器１４等側の処理を示し、両者の間の通信は矢印で示す。図７（Ａ）に示されるように、待機状態（ステップＳ４０）を経た後、通信スイッチ２１が押下されると(ステップＳ４２)、リレーキー１２の状態をチェックする（ステップＳ４４）。リレーキー１２の状態に問題があると判断された場合（ステップＳ４６）、リレーキー１２の表示部（不図示）にその旨を示すエラーを表示し（ステップＳ６２）、待機状態（ステップＳ４０）へ戻る。リレーキー１２の状態としてはバッテリーの電圧、メモリの使用量等がある。上述したように、ＰＣ１１側のステップＳ３２の処理においてもＰＣ１１とリレーキー１２とが接続された状態で同様の処理を行っているが、リレーキー１２側でもＰＣ１１とリレーキー１２とが接続されていない状態で独自に状態のチェックを行うことができる。ステップＳ４６で特にリレーキー１２の状態に問題があると判断されなかった場合、所定の情報ＩＮＦを送信する（ステップＳ４８）。ステップＳ４８は上述したステップＳ１６と同様の処理を行うため、図７Ａ）のフローチャートではＳ４８（Ｓ１６）と示してある。以下同様に示す。続いて、測定結果の待ち状態（ステップＳ５０）となり、タイムアウトと判断された場合（ステップＳ５２）はその旨を示すエラーを表示し（ステップＳ６２）、待機状態（ステップＳ４０）へ戻る。タイムアウトと判断される前に測定情報ＭＩＮＦを受信した場合（ステップＳ５２、Ｓ５４（Ｓ１８））、測定情報にタイム・スタンプを記録し（ステップＳ５６（Ｓ２０））、タイム・スタンプが記録された測定情報を保存する（ステップＳ５８）。続いて、受信確認ＲＩＮＦを送信し（ステップＳ６０）、待機状態（ステップＳ４０）へ戻って上述の処理を繰り返す。ステップＳ４８（Ｓ１６）で体組成計１４等に対して送信される所定の情報ＩＮＦは、上述のようにユーザ情報等のみで十分であるが、リレーキー１２のユニークＩＤを含めることもできる。当該ユニークＩＤを測定情報ＭＩＮＦに含めることにより、１台のデータ測定器１４等に対して複数のリレーキー１２がある場合に、リレーキー１２は自らへ送信された測定情報ＭＩＮＦであることを確認することができる。
【００４０】
次に、上述したリレーキー１２側の処理に対応したデータ測定器１４等側の処理について説明する。図７（Ｂ）に示されるように、待機状態（ステップＳ７０）を経た後、所定の情報ＩＮＦを受信すると(ステップＳ７２)、所定の情報ＩＮＦの内容をチェックする（ステップＳ７４）。当該内容に問題があると判断された場合（ステップＳ７６）、データ測定器１４等の表示部（不図示）にその旨を示すエラーを表示し（ステップＳ９４）、待機状態（ステップＳ７０）へ戻る。当該内容に問題がある例としては、データ測定器１４等が体組成計１４である場合、所定の情報ＩＮＦの内容に身長、性別等のデータが含まれていなかった場合等が挙げられる。ステップＳ７６で特に問題がないと判断された場合、測定が開始され（ステップＳ７８）、測定データが取得される。測定終了後（ステップＳ８０）、所定の情報ＩＮＦに基づき測定データに所定の演算を行って測定情報ＭＩＮＦを得る（ステップＳ８２）。測定情報ＭＩＮＦはリレーキー１２へ送信され（ステップＳ８４（Ｓ１８））、表示部（不図示）に表示される（ステップＳ８６）。受信確認ＲＩＮＦの待ち状態（ステップＳ８８）となり、タイムアウトと判断された場合（ステップＳ９０）はその旨を示すエラーを表示し（ステップＳ９４）、待機状態（ステップＳ７０）へ戻る。タイムアウトと判断される前に受信確認ＲＩＮＦを受信した場合（ステップＳ９０、Ｓ９２）、待機状態（ステップＳ７０）へ戻って上述の処理を繰り返す。
【００４１】
以上より、本発明の実施例１によれば、事業者側サーバ４４へ測定情報が送信されたタイミングでＰＣ１１は事業者側サーバ４４の時刻情報を取得して当該時刻情報に同期することができる。リレーキー１２はＰＣ１１から当該時刻情報を取得してこれに同期することができる。リレーキー１２はデータ測定器１４等から送信された測定情報に、上述のように同期がとれた時刻情報に基づきタイム・スタンプを記録し、タイム・スタンプが記録された測定情報をＰＣ１１へ送信する。ＰＣ１１は、当該測定情報を事業者側サーバ４４へ転送する。この結果、データ測定器１４等間で統一した時間、すなわち事業者側サーバ４４の時刻情報を簡易に設定することができるため、常に高い精度の時刻情報を得ることができる。あるデータ測定器１４等を複数のＰＣ１１等で管理している場合であっても、各ＰＣ１１またはリレーキー１２等は事業者側サーバ４４の時刻情報により同期が取られているため、ＰＣ１１等間の時間のズレによる調整を行う必要はない。さらに、外国でデータ測定器１４等を用いる場合のように時差のある状況でデータ測定器１４等を使用する場合であっても、ＰＣ１１またはリレーキー１２等は事業者側サーバ４４の時刻情報により同期が取られているため、時差による時間のズレを調整する必要をなくすことができる。
【実施例２】
【００４２】
実施例２では、測定終了後所定の時間を経過した後に測定情報をリレーキー１２側へ送信する尿糖計１７等のタイプのデータ測定器について説明する。図８は、尿糖計１７等のタイプのデータ測定器の処理をフローチャートで示す。対応するリレーキー１２側の処理は図７（Ａ）に示されるフローチャートと同様であるため、説明は省略する。図８に示されるように、測定が開始され（ステップＳ１００）、測定データが取得される。測定終了後（ステップＳ１０２）、測定データがデータ測定器１４等側のメモリ（不図示）に保存される（ステップＳ１０４）。この後、尿糖計１７等の内部にある経過時間カウンタで経過時間のカウントが開始される（ステップＳ１０６）。データ測定器１７等の送信ボタン（不図示）が押下されると（ステップＳ１０８）、このタイミングで経過時間カウンタのカウントが停止する。続いて、測定データに、経過時間カウンタによりカウントされた測定終了から測定情報の送信までの経過時間（経過時間情報）を付加した測定情報ＭＩＮＦを作成する（ステップＳ１１０）。測定情報ＭＩＮＦを送信した後（ステップＳ１１２）、待機状態となる（ステップＳ１１４）。
【００４３】
リレーキー１２は、図７（Ａ）に示されるように所定の情報ＩＮＦを送信する（ステップＳ４８（Ｓ１６））が、上述のように尿糖計１７等のタイプのデータ測定器は受信機能を有していないため、所定の情報ＩＮＦは受信されない。さらに、リレーキー１２は図７（Ａ）に示されるように受信確認ＲＩＮＦを送信する（ステップＳ６０）が、上述のように尿糖計１７等のタイプのデータ測定器は受信機能を有していないため、この受信確認ＲＩＮＦも受信されない。
【００４４】
経過時間が付加された測定情報ＭＩＮＦは、リレーキー１２によりタイム・スタンプが記録された後（ステップＳ５６（Ｓ２０））、ＰＣ１１を介して事業者側サーバ４４へ送信される（ステップＳ２２、Ｓ２４）。経過時間（Ｔ）は、測定情報が送信された時刻、すなわちタイム・スタンプが記録された時刻（Ｓ）から測定終了時刻（ステップＳ１０２における時刻（Ｅ））を引いた時間（Ｔ＝Ｓ−Ｅ）であるため、タイム・スタンプにより示される時刻（Ｓ）から経過時間（Ｔ）を引くという逆算により、測定終了時刻を得ることができる（Ｓ−Ｔ＝Ｓ−（Ｓ−Ｅ）＝Ｅ）。このような逆算は、ＰＣ１１に、タイム・スタンプ記録済測定情報送信部２８により送信された測定情報に記録されたタイム・スタンプと測定情報に含まれる経過時間とに基づき測定終了時刻を算出する算出手段（測定時間管理方法では算出ステップ）として備えさせることができる。あるいは、事業者側サーバ４４に、測定情報転送部３６により転送された測定情報に記録されたタイム・スタンプと測定情報に含まれる経過時間とに基づき測定終了時刻を算出する算出手段（算出ステップ）として備えさせることもできる。
【００４５】
以上より、本発明の実施例２によれば、測定終了後所定の時間を経過した後に測定情報をリレーキー１２側へ送信する尿糖計１７等のタイプのデータ測定器についても、本発明の測定時間管理システム等を適用することができる。尿糖計１７等のタイプのデータ測定器では、測定終了後、経過時間カウンタのカウントが開始され、送信ボタンが押下されたタイミングで経過時間カウンタのカウントが停止する。測定データに、経過時間カウンタによりカウントされた測定終了から測定情報の送信までの経過時間を付加した測定情報ＭＩＮＦを作成して、送信する。経過時間（Ｔ）は、タイム・スタンプにより示される時刻（Ｓ）から経過時間（Ｔ）を引くという逆算により、測定終了時刻を得ることができる。このような逆算は、ＰＣ１１に、タイム・スタンプ記録済測定情報送信部２８により送信された測定情報に記録されたタイム・スタンプと測定情報に含まれる経過時間とに基づき測定終了時刻を算出する算出手段として備えさせることができ、あるいは、事業者側サーバ４４に、測定情報転送部３６により転送された測定情報に記録されたタイム・スタンプと測定情報に含まれる経過時間とに基づき測定終了時刻を算出する算出手段として備えさせることもできる。ＰＣ１１の時刻は事業者側サーバ４４の時刻情報に同期しているため、測定情報に常に高い精度のタイム・スタンプを記録することができる。
【実施例３】
【００４６】
実施例３では、実施例２の尿糖計１７等と同様に測定終了後所定の時間を経過した後に測定情報をリレーキー１２側へ送信し、且つ情報送信部２４から送信された所定の情報を受信する受信機能を有する歩数計１８等のタイプのデータ測定器について説明する。リレーキー１２側の処理は、図７（Ａ）に示されるフローチャート中のステップＳ４８（Ｓ１６）の処理が一部異なる点を除き同様である。ステップＳ４８（Ｓ１６）で送信される所定の情報ＩＮＦには、データ送受信装置側同期部２２により同期がとれたリレーキー１２側の時刻情報が含まれている。他の処理については同様であるため説明は省略する。
【００４７】
歩数計１８側の処理は、図７（Ｂ）のフローチャート中のステップＳ７４の処理に一部追加があり、ステップＳ８２の処理が図８のフローチャートのステップＳ１０４からステップＳ１１０までの処理に置き換えられたものとなる。このため、追加、置き換えの部分について説明し、同様の処理についての説明は省略する。図７（Ｂ）で示されるステップＳ７４では、所定の情報ＩＮＦの内容のチェックに加え、データ測定器１８等が所定の情報ＩＮＦに含まれる時刻情報にデータ測定器１８等の時刻を同期させる処理（データ測定器側同期ステップ）が追加される。データ測定器側同期ステップはデータ測定器１８等の有するデータ測定器側同期部（データ測定器側同期手段。不図示）により行われる。測定終了後（ステップＳ８０）、ステップＳ８２の処理に替えて、図８のフローチャート中のステップＳ１０４からステップＳ１１０までの処理が行われる。すなわち、測定データが歩数計１８側のメモリ（不図示）に保存される（ステップＳ１０４）。この後、経過時間カウンタのカウントが開始される（ステップＳ１０６）。歩数計１８の送信ボタン（不図示）が押下されると（ステップＳ１０８）、このタイミングで経過時間カウンタのカウントが停止する。続いて、測定データに、経過時間カウンタによりカウントされた測定終了から測定情報の送信までの経過時間を付加した測定情報ＭＩＮＦを作成する（ステップＳ１１０）。以下、図７（Ｂ）に示されるフローチャートのステップＳ８４（Ｓ１８）（測定情報ＭＩＮＦの送信）からの処理が行われる。歩数計１８は受信機能を有しているため、受信確認ＲＩＮＦの確認処理（ステップＳ８８からＳ９２）も同様に行われる。
【００４８】
以上より、本発明の実施例３によれば、実施例２の尿糖計１７等と同様に測定終了後所定の時間を経過した後に測定情報をリレーキー１２側へ送信し、且つ情報送信部２４から送信された所定の情報を受信する受信機能を有する歩数計１８等のタイプのデータ測定器についても、本発明の測定時間管理システム等を適用することができる。歩数計１８等のタイプのデータ測定器はリレーキー１２から送信された時刻情報と同期をとるデータ測定器側同期部を備えている。このため、歩数計１８等のタイプのデータ測定器の時計機能が故障した場合であっても、リレーキー１２から送信された時刻情報と同期をとることにより、直ちに歩数計１８等のタイプのデータ測定器を統一した高精度の時間に簡易に設定することができる。なお、本発明の実施例ではＰＣ１１の時刻もサーバ４４の時刻に同期させているが、ユーザに断りなしにＰＣ１１の時刻を変更することが好ましくない場合には、ＰＣ１１での時刻情報の同期をせず、リレーキー１２をＰＣ１１に挿したときにＰＣ１１からサーバ４４に時刻情報を取りに行き、ＰＣ１１はサーバ４４からの時刻情報をリレーキー１２に転送するだけにして、リレーキー１２のみで時刻情報の同期をしてもよい。
【産業上の利用可能性】
【００４９】
本発明の活用例として、会社員等のように多忙のため測定データを自らＰＣへ入力している時間的余裕のない人、独居老人家庭における老人等の方のようにＰＣ等の操作が不慣れで困難な人をユーザとする健康管理システムへの適用が挙げられる。
【図面の簡単な説明】
【００５０】
【図１】本発明の実施例１における測定時間管理システム１を示す図である。
【図２】リレーキー１２の構成を示す図である。
【図３】リレーキー１２とＰＣ１１との接続状態を示す図である。
【図４】ホーム・システム１０の詳細な構成を示す図である。
【図５（Ａ）】本発明の実施例１における測定時間管理方法の流れを示すフローチャートである。
【図５（Ｂ）】本発明の実施例１における測定時間管理方法の流れを示すフローチャートである。
【図５（Ｃ）】本発明の実施例１における測定時間管理方法の流れを示すフローチャートである。
【図６】ステップＳ３０およびＳ３２の処理を示すフローチャートである。
【図７（Ａ）】時刻情報に関連した処理以外の他の処理を含めたリレーキー１２の処理を示すフローチャートである。
【図７（Ｂ）】時刻情報に関連した処理以外の他の処理を含めたデータ測定器１４等の処理を示すフローチャートである。
【図８】尿糖計１７等のタイプのデータ測定器の処理を示すフローチャートである。
【符号の説明】
【００５１】
１  測定時間管理システム、  ５  ネットワーク、  １０  ホーム・システム、  １１  ＰＣ、  １２  リレーキー、  １３、４２  ルータ、  １４、１６、１７、１８  データ測定器、  ２０、３０、５０  機能ブロック、  ２１  通信スイッチ、  ２２  データ送受信装置側同期部、  ２３  赤外線送受信器、  ２４  情報送信部、  ２５  ＵＳＢ端子、  ２６  タイム・スタンプ記録部、  ２８  タイム・スタンプ記録済測定情報送信部、  ２７  スライドキー、  ３１  ＵＳＢポート、  ３２  情報端末装置側同期部、  ３３  ディスプレイ、  ３４  情報端末装置側時刻情報送信部、  ３５  表示形式、  ３６  測定情報転送部、  ４０  健康管理事業者側システム、  ４４  事業者側サーバ、  ５２  時刻情報送信部。  
【図１】
2007259362.tif 000003
【図５（Ａ）】
2007259362.tif 000004
【図５（Ｂ）】
2007259362.tif 000005
【図５（Ｃ）】
2007259362.tif 000006
【図６】
2007259362.tif 000007
【図７（Ａ）】
2007259362.tif 000008
【図７（Ｂ）】
2007259362.tif 000009
【図８】
2007259362.tif 000010
【図２】
2007259362.tif 000011
【図３】
2007259362.tif 000012
【図４】
2007259362.tif 000013